(57)【特許請求の範囲】
【請求項１】
浴槽と、
該浴槽に隣接する洗い場床と、
前記洗い場床の前記浴槽側端辺から、前記浴槽の前記洗い場床側端辺までを掩蔽するバスエプロンと、
前記バスエプロン側から前記洗い場床を隔てて前記浴槽に対向する壁面側へ横設された浴室カウンタと、
殺菌水を生成する殺菌水生成装置と、
前記浴室カウンタ下面に、垂直な回転軸を中心に回転可能に形成され、前記殺菌水生成
装置により生成された殺菌水を前記洗い場床上に吐水する吐水部と、
前記バスエプロンの下端に沿って設けられ、その周縁より前記洗い場床上の水を流す排水ピットと、を備え、
前記吐水部は、前記バスエプロンにおける前記排水ピットの上方に当たるよう殺菌水を吐水可能であり、前記洗い場床を隔てて前記浴槽に対向する壁面近傍に取設されることを特徴とする浴室殺菌システム。
【請求項２】
前記吐水部は、水平より上方を指向して吐水するノズル孔を有することを特徴とする請求項１に記載の浴室殺菌システム。
【発明の詳細な説明】
【技術分野】
【０００１】
本発明は、浴室の洗い場を殺菌水を用いて洗浄する浴室殺菌システムに関する。
【背景技術】
【０００２】
従来、殺菌性物質又はイオンを含有する殺菌水を散布して、浴室の細菌や黴に起因する特殊な汚れを除去する浴室防汚装置が提案されている（例えば、特許文献１参照。）。
【０００３】
斯かる浴室防汚装置においては、殺菌水を霧状、粒状、流水状等の形態で散布するノズルは、壁面高所に設けられたり（特許文献１、図４，７参照。）、天井に取り付けられたり（特許文献１、図５参照。）する。
【０００４】
また、ノズルを床上に設置された浴室防汚装置の前面下部に設ける他に、外付けノズル（特許文献１、図８，９参照）や着脱型ノズルを備えるもの（特許文献１、図１１参照。）が開示されている。
【０００５】
さらに、ノズルを床上に設置された浴室防汚装置の前面下部及び装置本体上部に備えるもの（特許文献１、図１０参照）も記載されている。
【０００６】
このように、特許文献１に記載された浴室防汚装置では、できるだけ広い範囲に殺菌水を散布できるよう、ノズルの配置に種々の工夫がなされている。
【０００７】
【特許文献１】特開平９−２２０２７３号公報
【発明の開示】
【発明が解決しようとする課題】
【０００８】
しかしながら、細菌や黴が繁殖しやすいのは、専ら洗い場床や壁の低い部分、バスエプロン等、湿潤な状態にあることが多い部位である。この点、壁面高所や天井から殺菌水を散布することは、壁の高所等にも散布することになり、不必要に広い範囲に散布することは経済的ではない。
【０００９】
他方、床上に設置された浴室防汚装置の前面下部に設けられたノズルからの散布では、その届く範囲も限られる。さりとて、外付けノズルを取り付けることは意匠性を損ない、散布の度にノズルを着脱するのは煩に堪えない。
【００１０】
なにより、洗い場水栓を取り付ける等のための浴室カウンタ裏面のように、陰になる部分には殺菌水が廻りきらないおそれが多分にある。
【００１１】
本発明は、上述した事情を考慮してなされたもので、洗い場床や壁の低い部分、バスエプロン等細菌や黴が繁殖しやすい部位に集中して殺菌水を散布できる浴室殺菌システムを提供することを目的とするものである。
【課題を解決するための手段】
【００１２】
本発明に係る浴室殺菌システムは、上述した課題を解決するために、請求項１に記載したように、浴槽と、該浴槽に隣接する洗い場床と、前記洗い場床の前記浴槽側端辺から、前記浴槽の前記洗い場床側端辺までを掩蔽するバスエプロンと、前記バスエプロン側から前記洗い場床を隔てて前記浴槽に対向する壁面側へ横設された浴室カウンタと、殺菌水を生成する殺菌水生成装置と、前記浴室カウンタ下面に、垂直な回転軸を中心に回転可能に形成され、前記殺菌水生成装置により生成された殺菌水を前記洗い場床上に吐水する吐水部と、前記バスエプロンの下端に沿って設けられ、その周縁より前記洗い場床上の水を流す排水ピットと、を備え、前記吐水部は、前記バスエプロンにおける前記排水ピットの上方に当たるよう殺菌水を吐水可能であり、前記洗い場床を隔てて前記浴槽に対向する壁面近傍に取設されることを特徴とする浴室殺菌システム。
【００１４】
そして、前記吐水部は、好適には、請求項２に記載したように、水平より上方を指向して吐水するノズル孔を有することが望ましい。
【発明の効果】
【００１７】
本発明に係る浴室殺菌システムによれば、洗い場床や壁の低い部分、バスエプロン等細菌や黴が繁殖しやすい部位に集中して殺菌水を散布することができる。
【発明を実施するための最良の形態】
【００１８】
本発明に係る浴室殺菌システムの一実施形態について、添付図面を参照して説明する。図１は、本実施形態に係る浴室殺菌システムの全体的な概要を示すものである。
【００１９】
この浴室殺菌システムは、浴槽２と、浴槽２に隣接する洗い場床３と、浴槽２側から洗い場床３を隔てて浴槽２に対向する壁面４へ横設された浴室カウンタ５と、浴室殺菌装置１とから構成される。ここで、浴室カウンタ５は、浴槽２のリム２ａより低い位置に配置されている。
【００２０】
また、この浴室には、洗い場床３の浴槽２側端辺から、浴槽２の洗い場床３側端辺までを掩蔽するバスエプロン６と、洗い場床３の浴槽２側端辺に、洗い場床３より一段低く形成され、排水トラップ（図示せず）が取設される排水ピット７が設けられ、排水ピット７上面には、排水蓋８が載置される。
【００２１】
浴室殺菌装置１は、制御ボックス１０と、機能ユニット１１と、散布ノズル１２と、リモコン１３とを備える。
【００２２】
制御ボックス１０は、浴室の天井裏に設置され、リモコン１３からの指示により、機能ユニット１１内の後述する電磁弁及び電解槽を制御する。
【００２３】
機能ユニット１１は、殺菌水を生成するユニットであり、浴室カウンタ５に内蔵され、その先端には殺菌水を散布する散布ノズル１２が接続される。
【００２４】
リモコン１３は、浴室前の更衣室等の壁面に設置され、スイッチ１３ａとＬＥＤ１３ｂとを備える。スイッチ１３ａをＯＮにすると、浴室殺菌装置１が作動を開始するとともに、ＬＥＤ１３ｂが点灯し、浴室殺菌装置１が作動中であることを表示する。
【００２５】
浴室カウンタ５内部には、図２に示すように、洗い場水栓（図示せず）に給水／給湯する給水管１５及び給湯管１６が配管される。このうち給水管１５は、分岐されて、機能ユニット１１に原料水を供給する水道水導入管１７が接続される。
【００２６】
この水道水導入管１５の途中には止水栓１８が設けられ、この止水栓１８を閉めることにより、機能ユニット１１を取り外す際にも、浴室の通常の使用に支障を来さないようになっている。
【００２７】
水道水導入管１７により導入された原料水は、機能ユニット１１内において殺菌水に変成され、殺菌水導出管１９を経由して散布ノズル１２へと送られる。
【００２８】
機能ユニット１１は、図３（ａ）に示すように、ケース２０内に、水道水導入管１７に接続する流入口２１を介して順に、電磁弁２２、定流量弁２３、逆止弁２４、大気開放弁２５、及び電解槽２６が連通され、電解槽２６は、流出口２７を介して殺菌水導出管１９に接続される。
【００２９】
機能ユニット１１は、ケース２０内にウレタン樹脂２８またはエポキシ樹脂が充填されて、防水構造とされている。これにより、電気部品の端子部の防水と、通水部からの漏水が防止される。
【００３０】
また、図３（ｂ）に示すように、機能ユニット１１の大きさを最小とすべく、流入ロ２１と流出口２７の軸が、ケース２０の対角に位置するように配設される。
【００３１】
ここで、流入口２１および流出口２７は浴室カウンタ５の前端部側に配置されるように取設されており、流入口２１及び流出口２７の軸はそれぞれケース２０の対角位置に配置されている。
【００３２】
そして、流入口２１から流出口２７へと連通する管路３６は、流入口２１から浴室カウンタ５の後端部側に直進し、電磁弁２２及び定流量弁２３を含む往路部３７と、浴室カウンタ５の後端部側から流出口２７に直進し、電解槽２６を含む復路部３８と、往路部３７及び復路部３８の浴室カウンタ５後端部側の端部を連通するためにＵ字状に屈曲するとともに、往路部３７が復路部３８に比べて高い位置に配置されるように取り付けられ、逆止弁２４及び大気開放弁２５を含む屈曲部３９とを有している。
【００３３】
リモコン１３のスイッチ１３ａが押されると、制御ボックス１０からの指示により電磁弁２２が開閉する。そして、電磁弁２２が開くことにより通水され、定流量弁２３により流量が一定に保たれる。これにより、生成される殺菌水の濃度が一定に保たれると同時に、散布ノズル１２から散布される殺菌水の水圧も一定に保たれ、所望の範囲に殺菌水を散布することが可能となる。
【００３４】
通水状態になると、電解槽２６の電極２９に通電が開始され、電極２９の電気分解が行われて銀イオンが発生する。銀イオンを含有する水は殺菌水として散布ノズル１２へ送られる。こうして生成された殺菌水は、逆止弁２４により給水管１５へと逆流することが防止される。
【００３５】
大気開放弁２５は、通電時（電磁弁開）においては閉止状態になって、原料水が外部に漏出することが防止され、待機時（電磁弁閉）には開放状態になって、逆止弁２４より下流側は空気と置換される。これにより、電解槽２６内に残存水が残ることが防止される。
【００３６】
電解槽２６の電極２９は、銀、銀合金または銀メッキ金属により形成され、電極２９の電気分解が行われると銀イオンが発生する。この電極２９は、図４（ａ）に示すように、電極２９同士が水平になるような位置関係で設置されている。これにより、電解槽の厚みを薄くしてコンパクトにしても、図４（ｂ）に示すように、待機時に残存水の表面張力によって電極が導通状態になることを回避できる。
【００３７】
散布ノズル１２は、図５に示すように、大別して、殺菌水導出管１９に接続されるボディ３０と、その先端に軸支される回転体３１とから構成される。回転体３１はまた、上側部材３２と下側部材３３とに分割され、ワッシャ３４を介して、固定ビス３５により、ボディ３１の先端に回転自在に取設される（図７参照。）。回転体３１はこのように取り外し可能かつ分解可能に形成されているので、その内部及びボディ３０の先端を清掃することができる。
【００３８】
回転体３１（の下側部材３３）には、図６（ａ）に示すように、４対８個の液体噴出孔３３ａ，３３ｂ，３３ｃ，３３ｄが設けられる。これらの液体噴出孔３３ａ，３３ｂ，３３ｃ，３３ｄは、回転体３１の回転中心から同一方向へ同一距離偏心して設けられるので、通水状態になると、水流により回転し、洗い場床３ヘ殺菌水を万遍なく散布することができる。
【００３９】
これらのうち、液体噴出孔３３ａは、図６（ｂ）に示すように、水平に開口するものの、液体噴出孔３３ｂは、図６（ｃ）に示すように、仰角４°に開口する。また、液体噴出孔３３ｃは、図６（ｄ）に示すように、仰角８°に、液体噴出孔３３ｄは、図６（ｄ）に示すように、仰角１２°にそれぞれ開口する。
【００４０】
これにより、洗い場床３の散布ノズル近傍から遠方まで、万遍なく散布することができる。なお、各液体噴出孔の仰角は、散布する洗い場床の広さに応じて適宜決定される。
【００４１】
ところで、ボディ３０の先端は、図７に示すように、直径Ｄ１に形成された軸先端３０ａのさらに先に直径Ｄ２の最先端３０ｂが段落ちして形成される。これに対応して、上側部材３２には、軸先端３０ａが挿通可能な直径Ｄ１’の挿通孔３２ａが形成され、下側部材３３には、最先端３０ｂが挿通可能なものの軸先端３０ａは挿通不能な直径Ｄ２’’の挿通孔３３ｅが形成される。
【００４２】
これにより、回転体３１を分解した後、誤って上側部材３２と下側部材３３とを上下逆に取り付けることが防止されるので、液体噴出孔３３ｂ，３３ｃ，３３ｄは仰角を確保でき、常に上方を指向して開口する。
【００４３】
本実施の形態に係る浴室殺菌システムは上記のように構成されており、以下その殺菌水散布状態について説明する。図８は、殺菌水の散布状態を示す平面図であり、図９は同立面図である。
【００４４】
図８に示すＧのエリアは、主に仰角０°の液体噴出孔３３ａからの殺菌水が散布されるエリアであり、同Ｈのエリアは、主に仰角４°の液体噴出孔３３ｂからの殺菌水が散布されるエリア、同じく、Ｉ及びＪのエリアは、それぞれ主に仰角８°及び１２°の液体噴出孔３３ｃ及び３３ｄからの殺菌水が散布されるエリアである。このように、液体噴出口３３ａ，３３ｂ，３３ｃ，３３ｄの仰角を異ならせることにより広範囲に亘って差起因水を散布することが可能となる。
【００４５】
これに対し、図８に示すＦのエリアには、殺菌水は直接散布されない。このエリアには、図９に示すように、散布ノズル１２より奥側の壁に当たり跳ね返った水、及び跳ね返った後そこから洗い場床３の勾配に沿って流れ下る殺菌水により洗浄される。
【００４６】
この点、散布ノズル１２は、浴槽２と洗い場床３を隔てて対向する壁面４近傍、すなわち、排水ピット７と対角位置となるに水上に取設されるので、散布ノズル近傍においても殺菌水が廻らないエリアはない。
【００４７】
このように、本実施形態に係る浴室殺菌システムによれば、洗い場床３に散布された殺菌水の流れに逆らうことなく散布でき、効率よく洗い場床３の洗浄をすることができる。
【００４８】
また、散布ノズル１２は、浴室カウンタ５下部に取設されるので、浴室カウンタ５下部が陰になって、殺菌水が廻らないということもない。
【００４９】
他方、液体噴出口３３ｄの仰角は一定以下に抑えられるので、無闇に広いエリアに散布することはなく、経済的であるばかりでなく、図９に示すように、殺菌水は最高位置でも浴槽２のリム２ａの高さを超えないので、風呂蓋に殺菌水がかかることもない。
【００５０】
また、排水ピット７におけるバスエプロン６側の端辺、特にその中央付近は、洗い場床上を流れた殺菌水が流れにくい。しかしながら、殺菌水は、バスエプロン６に向かっても散布されるので、図１０に示すように、排水ピット７上の排水蓋８とバスエプロン６との間にできる隙間は、バスエプロン６に当たって流れ落ちる殺菌水によって洗浄される。このように、洗い場床３を流れ落ちる殺菌水だけでは網羅できないエリアも洗浄することができる。
【００５１】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００５２】
【図１】本発明に係る浴室殺菌システムの一実施形態の全体概要を示す図。
【図２】浴室カウンタ裏面に取設された機能部を示す図で、（ａ）は平面図、（ｂ）は正面図、（ｃ）は側面図。
【図３】機能部の詳細を示す図で、（ａ）は正面図、（ｂ）は側面図図。
【図４】銀電極の配置を模式的に説明する図。
【図５】散布ノズルの構成を示す図。
【図６】散布ノズルの回転体を示す図で、（ａ）は平面図、（ｂ）はＢ−Ｂ断面図、（ｃ）はＣ−Ｃ断面図、（ｄ）はＤ−Ｄ断面図、（ｅ）はＥ−Ｅ断面図。
【図７】散布ノズルの分解断面図。
【図８】殺菌水の散布状態を示す平面図。
【図９】殺菌水の散布状態を示す立面図。
【図１０】排水ピット廻りにおける殺菌水の散布状態を示す斜視図。
【符号の説明】
【００５３】
１  浴槽殺菌装置
２  浴槽
２ａ  リム
３  洗い場床
４  壁面
５  浴室カウンタ
６  バスエプロン
７  排水ピット
８  排水蓋
１０  制御ボックス
１１  機能ユニット
１２  散布ノズル
１３  リモコン
１３ａ  スイッチ
１３ｂ  ＬＥＤ
１５  給水管
１６  給湯管
１７  水道水導入管
１８  止水栓
１９  殺菌水導出管
２０  ケース
２１  流入口
２２  電磁弁
２３  定流量弁
２４  逆止弁
２５  大気開放弁
２６  電解槽
２７  流出口
２８  ウレタン樹脂
２９  電極
３０  ボディ
３０ａ  軸先端
３０ｂ  最先端
３１  回転体
３２  上側部材
３２ａ  ３３ｅ  挿通孔
３３ａ，３３ｂ，３３ｃ，３３ｄ  液体噴出孔３３  下側部材
３４  ワッシャ
３５  固定ビス
３６  管路
３７  往路部
３８  復路部
３９  屈曲部
【図１】
0004360437.tif 000002
【図２】
0004360437.tif 000003
【図３】
0004360437.tif 000004
【図４】
0004360437.tif 000005
【図５】
0004360437.tif 000006
【図６】
0004360437.tif 000007
【図７】
0004360437.tif 000008
【図８】
0004360437.tif 000009
【図９】
0004360437.tif 000010
【図１０】
0004360437.tif 000011